(57)【要約】【課題】ビット分解能を低下させずに広帯域なＯＦＤＭ変調信号を測定して解析を行うことを可能にする。【解決手段】ＯＦＤＭ変調信号のチャンネル幅を分割する複数の分割周波数範囲が入力設定部２から設定される。入力処理部３は、設定された複数の分割周波数範囲毎に時間的に振り分けてＯＦＤＭ変調信号を取り込み、この取り込んだ複数の分割周波数範囲毎のＯＦＤＭ変調信号を直交復調して得られるＩ，Ｑ信号に基づく測定結果を記憶部４に書き込む。データ処理部５は、複数の分割周波数範囲の測定結果同士をチャンネル幅と一致又は包含するように結合する。【選択図】図１
2014093738.tif 000002
【特許請求の範囲】
【請求項１】
ＯＦＤＭ変調信号のチャンネル幅を分割する複数の分割周波数範囲を設定する入力設定部（２）と、
前記入力設定部にて設定された複数の分割周波数範囲毎に時間的に振り分けて前記ＯＦＤＭ変調信号を取り込み、この取り込んだ前記複数の周波数範囲毎のＯＦＤＭ変調信号を直交復調して得られるＩ，Ｑ信号に基づく測定結果を記憶部（４）に書き込む信号入力処理部（３）と、
前記記憶部に書き込まれた前記複数の周波数範囲の測定結果同士を結合するデータ処理部（５）とを備えたことを特徴とする変調信号解析装置。
【請求項２】
前記データ処理部（５）は、前記複数の分割周波数範囲の一部を重複させた重複周波数範囲が前記入力設定部にて設定されているときに、該重複周波数範囲における前記複数の分割周波数範囲の測定結果の差から算出される近似直線の傾きと該近似直線の縦軸との切片が０になるように前記複数の分割周波数範囲の測定結果を補正して結合することを特徴とする請求項１記載の変調信号解析装置。
【請求項３】
ＯＦＤＭ変調信号のチャンネル幅を分割する複数の分割周波数範囲を設定するステップと、
前記設定された複数の分割周波数範囲毎に時間的に振り分けて前記ＯＦＤＭ変調信号を取り込むステップと、
前記取り込んだ前記複数の分割周波数範囲毎のＯＦＤＭ変調信号を直交復調するステップと、
前記直交復調によって得られるＩ，Ｑ信号に基づく測定結果を記憶部（４）に書き込むステップと、
前記記憶部に書き込まれた前記複数の分割周波数範囲の測定結果同士を結合するステップとを含むことを特徴とする変調信号解析方法。
【請求項４】
前記複数の分割周波数範囲の一部を重複させた重複周波数範囲を設定するステップと、
前記重複周波数範囲における前記複数の分割周波数範囲の測定結果の差から算出される近似直線の傾きと該近似直線の縦軸との切片が０になるように前記複数の分割周波数範囲の測定結果を補正して結合するステップとをさらに含むことを特徴とする請求項３記載の変調信号解析方法。
【発明の詳細な説明】
【技術分野】
【０００１】
本発明は、被測定信号として入力されるＯＦＤＭ（Orthogonal Frequency Division Multiplexing：直交周波数分割多重）変調信号を直交復調し、この直交復調によって得られるＩ，Ｑ信号を用いた各種測定（例えば、エラーベクトル振幅（ＥＶＭ：Error Vector Magnitude）、スペクトラムフラットネス（振幅の平坦度）の測定など）を行って信号解析する変調信号解析装置および変調信号解析方法に関する。
【背景技術】
【０００２】
近年、無線通信や有線通信における高速伝送への要求は高まる一方であり、限られた帯域を効率よく使用するための変調方式が必要とされている。この変調方式の一つとして、ディジタル地上テレビジョン放送の標準方式として採用されているＯＦＤＭが知られている。
【０００３】
ＯＦＤＭは、高速なデータ信号を低速で狭帯域なデータ信号に変換し周波数軸上で並列に伝送するＦＤＭ（周波数分割多重）に対してさらに直交性を利用し、周波数軸上でのオーバーラップを許容している。これにより、複数の搬送波を一部重なりあいながらも互いに干渉することなく密に並べることができ、狭い周波数の範囲を効率的に利用した広帯域伝送を実現している。このため、ＯＦＤＭは、例えば無線ＬＡＮ、ＰＡＮ、ＡＤＳＬ、電力線通信システムなどに応用され、次世代の移動通信システムへの適用も検討されている。
【０００４】
ところで、ＯＦＤＭを用いたシステムを構築するにあたっては、実際の通信に使用されるＯＦＤＭ変調信号を被測定信号として直交復調し、この直交復調によって得られるＩ，Ｑ信号を用いた各種測定（例えば、ＥＶＭ、スペクトラムフラットネスの測定など）を行ってＯＦＤＭ変調信号を解析する必要がある。このＯＦＤＭ変調信号を被測定信号として測定して解析を行う装置としては、例えば下記特許文献１に開示される変調信号解析装置が知られている。
【先行技術文献】
【特許文献】
【０００５】
【特許文献１】特開２００５−３０３４５５号公報
【発明の概要】
【発明が解決しようとする課題】
【０００６】
ところが、近年では、無線通信や有線通信の高速伝送に伴ってＯＦＤＭの広帯域化も進んでおり、ＩＥＥＥ（米国電気電子技術者協会）で制定された規格ＩＥＥＥ８０２．１１ａｃでは、最大チャンネル幅：１６０ＭＨｚまで広帯域化している。
【０００７】
しかしながら、特許文献１に開示される従来の変調信号解析装置を用い、広帯域なチャンネル幅１６０ＭＨｚのＯＦＤＭ変調信号を１回で取り込んで測定し解析を行うためには、高速なＡ／Ｄ変換器が必要不可欠であった。
【０００８】
ところが、広帯域のＯＦＤＭ変調信号に対応するため、高速なＡ／Ｄ変換器を用いると、ビット分解能が低下することがあり、このビット分解能の低下に伴って測定結果にもバラツキによる誤差が生じ、高精度な測定による信号解析を行うことができないという課題があった。
【０００９】
そこで、本発明は上記問題点に鑑みてなされたものであって、ビット分解能を低下させずに広帯域なＯＦＤＭ変調信号を測定して解析を行うことができる変調信号解析装置および変調信号解析方法を提供することを目的としている。
【課題を解決するための手段】
【００１０】
上記目的を達成するため、本発明の請求項１に記載された変調信号解析装置は、ＯＦＤＭ変調信号のチャンネル幅を分割する複数の分割周波数範囲を設定する入力設定部２と、
前記入力設定部にて設定された複数の分割周波数範囲毎に時間的に振り分けて前記ＯＦＤＭ変調信号を取り込み、この取り込んだ前記複数の周波数範囲毎のＯＦＤＭ変調信号を直交復調して得られるＩ，Ｑ信号に基づく測定結果を記憶部４に書き込む信号入力処理部３と、
前記記憶部に書き込まれた前記複数の周波数範囲の測定結果同士を結合するデータ処理部５とを備えたことを特徴とする。
【００１１】
請求項２に記載された変調信号解析装置は、請求項１記載の変調信号解析装置において、
前記データ処理部５は、前記複数の分割周波数範囲の一部を重複させた重複周波数範囲が前記入力設定部にて設定されているときに、該重複周波数範囲における前記複数の分割周波数範囲の測定結果の差から算出される近似直線の傾きと該近似直線の縦軸との切片が０になるように前記複数の分割周波数範囲の測定結果を補正して結合することを特徴とする。
【００１２】
請求項３に記載された変調信号解析方法は、ＯＦＤＭ変調信号のチャンネル幅を分割する複数の分割周波数範囲を設定するステップと、
前記設定された複数の分割周波数範囲毎に時間的に振り分けて前記ＯＦＤＭ変調信号を取り込むステップと、
前記取り込んだ前記複数の分割周波数範囲毎のＯＦＤＭ変調信号を直交復調するステップと、
前記直交復調によって得られるＩ，Ｑ信号に基づく測定結果を記憶部４に書き込むステップと、
前記記憶部に書き込まれた前記複数の分割周波数範囲の測定結果同士を結合するステップとを含むことを特徴とする。
【００１３】
請求項４に記載された変調信号解析方法は、請求項３記載の変調信号解析方法において、
前記複数の分割周波数範囲の一部を重複させた重複周波数範囲を設定するステップと、
前記重複周波数範囲における前記複数の分割周波数範囲の測定結果の差から算出される近似直線の傾きと該近似直線の縦軸との切片が０になるように前記複数の分割周波数範囲の測定結果を補正して結合するステップとをさらに含むことを特徴とする。
【発明の効果】
【００１４】
本発明によれば、広帯域のＯＦＤＭ変調信号のチャンネル幅を時間的に複数回に分け、複数回の狭帯域の分割周波数範囲でＯＦＤＭ変調信号を取り込んで測定するので、高速Ａ／Ｄ変換器が不要であり、この高速Ａ／Ｄ変換器を用いた場合と比較しても、ダイナミックレンジが広く取れ、ビット分解能を低下させずに広帯域なＯＦＤＭ変調信号の測定解析を行うことができる。
【００１５】
複数の分割周波数範囲の一部を重複させた重複周波数範囲における複数の分割周波数範囲の測定結果の差から算出される近似直線の傾きと近似直線の縦軸との切片が０になるように複数の分割周波数範囲の測定結果を補正して結合すれば、ダイナミックレンジが広く取れ、ビット分解能を低下させずに広帯域なＯＦＤＭ変調信号を測定できるだけでなく、極めて少ない誤差での測定解析が可能になる。
【図面の簡単な説明】
【００１６】
【図１】本発明に係る変調信号解析装置のブロック構成図である。
【図２】本発明に係る変調信号解析装置によりスペクトラムフラットネスを測定したときの測定結果の表示状態の一例を示す図である。
【図３】本発明に係る変調信号解析装置において分割周波数範囲間にずれが生じた場合の測定結果の表示状態の一例を示す図である。
【図４】本発明に係る変調信号解析装置により重複周波数範囲を設定して測定を行ったときの測定結果の表示状態の一例を示す図である。
【図５】図４の重複周波数範囲における下側分割周波数範囲の測定結果と上側分割周波数範囲の測定結果の拡大図である。
【図６】図５における測定結果の差を示す図である。
【図７】本発明に係る変調信号解析装置において補正処理を行ったときの測定結果の一例を示す図である。
【発明を実施するための形態】
【００１７】
以下、本発明を実施するための形態について、添付した図面を参照しながら詳細に説明する。尚、この実施の形態によりこの発明が限定されるものではなく、この形態に基づいて当業者などによりなされる実施可能な他の形態、実施例及び運用技術などはすべて本発明の範疇に含まれる。
【００１８】
本発明に係る変調信号解析装置および変調信号解析方法は、被測定信号として入力されるＯＦＤＭ（Orthogonal Frequency Division Multiplexing：直交周波数分割多重）変調信号を直交復調し、この直交復調によって得られるＩ信号（同位相）及びＱ信号（直交位相）を用いた各種測定（例えば、エラーベクトル振幅（ＥＶＭ）、スペクトラムフラットネスの測定など）を行ってＯＦＤＭ変調信号を信号解析するものである。
【００１９】
そして、本発明では、特に、広帯域（例えば１６０ＭＨｚ以上のチャンネル幅）のＯＦＤＭ変調信号の測定解析を行うにあたって、ＯＦＤＭ変調信号のチャンネル幅を複数の周波数範囲に分割して時間的に振り分けてＯＦＤＭ変調信号を取り込んで直交復調し、この直交復調によって得られる複数の周波数範囲のＩ信号とＱ信号に基づく測定結果をＯＦＤＭ変調信号のチャンネル幅と一致又は包含するように結合する機能を有している。また、本発明は、複数の周波数範囲間の境目における測定結果のずれを補正処理して結合する機能も有している。
【００２０】
本例の変調信号解析装置１は、これらの機能を実現するべく、図１に示すように、入力設定部２、信号入力処理部３、記憶部４、データ処理部５、表示部６を備えて概略構成される。
【００２１】
入力設定部２は、装置本体に設けられるスイッチやキー、表示部６の表示画面上に表示されるソフトキーなどで構成され、被測定信号として入力されるＯＦＤＭ変調信号の解析周波数範囲を設定している。この解析周波数範囲は、変調信号解析装置１が解析可能な装置解析周波数範囲よりも広帯域（例えば１６０ＭＨｚ以上のチャンネル幅）のＯＦＤＭ変調信号の測定解析に対応するべく、ＯＦＤＭ変調信号のチャンネル幅を所定帯域幅ずつ分割する複数の分割周波数範囲として設定される。
【００２２】
複数の分割周波数範囲は、ＯＦＤＭ変調信号（被測定信号）の中心周波数を中心として、装置解析周波数範囲より狭い帯域幅であって、同一の帯域幅又は異なる帯域幅で設定される。また、複数の分割周波数範囲は、下限周波数と上限周波数との間の周波数範囲がＯＦＤＭ変調信号のチャンネル幅と同一又は包含するように設定される。
【００２３】
具体的に、チャンネル幅１６０ＭＨｚのＯＦＤＭ変調信号を中心周波数５２５０ＭＨｚを中心として８０ＭＨｚずつ２分割する場合には、複数の分割周波数範囲として、下側分割周波数範囲が５１７０ＭＨｚ〜５２５０ＭＨｚ、上側分割周波数範囲が５２５０ＭＨｚ〜５３３０ＭＨｚに設定される。この場合、下側分割周波数範囲の下限周波数５１７０ＭＨｚと上側分割周波数範囲の上限周波数５３３０ＮＨｚとの間の周波数範囲が被測定信号のチャンネル幅１６０ＭＨｚと一致している。
【００２４】
また、入力設定部２は、複数の分割周波数範囲の隣り合う分割周波数範囲間の一部がオーバーラップする重複周波数範囲を適宜設定することができる。具体的に、チャンネル幅１６０ＭＨｚのＯＦＤＭ変調信号を中心周波数５２５０ＭＨｚを中心として８０ＭＨｚずつ２分割する場合、重複周波数範囲を３６ＭＨｚに設定すると、下側分割周波数範囲が５１７０ＭＨｚ〜５２６８ＭＨｚ、上側分割周波数範囲が５２３２ＭＨｚ〜５３３０ＭＨｚに設定され、５２３２ＭＨｚ〜５２６８ＭＨｚの３６ＭＨｚの範囲で周波数がオーバーラップする。
【００２５】
さらに、入力設定部２は、例えばエラーベクトル振幅、スペクトラムフラットネスなどの各種測定を行うための測定条件を設定する他、最終的な測定結果を表示部６に表示するための指示をデータ処理部５に入力している。
【００２６】
信号入力処理部３は、外部から被測定信号として入力されるＯＦＤＭ変調信号を取り込んで復調処理しており、可変減衰部３ａ、周波数変換部３ｂ、Ａ／Ｄ変換部３ｃ、直交復調部３ｄを備えている。
【００２７】
可変減衰部３ａは、アナログの被測定信号（ＲＦ）として入力端子１１から入力されるＯＦＤＭ変調信号の信号レベルを、入力設定部２で設定されるＯＦＤＭ変調信号（被測定信号）の解析周波数範囲に応じた適正レベルに可変減衰して周波数変換部３ｂに入力している。
【００２８】
周波数変換部３ｂは、可変減衰部３ａで適正レベルに調整されたＯＦＤＭ変調信号を中間周波数（ＩＦ）に変換し、この変換した中間周波数によるＯＦＤＭ変調信号をＡ／Ｄ変換部３ｃに入力している。
【００２９】
Ａ／Ｄ変換部３ｃは、周波数変換部３ｂからのアナログのＯＦＤＭ変調信号を所定のサンプリングクロックでサンプリングし、所定の周波数ステップ毎のディジタルのＯＦＤＭ変調信号に変換し、この変換したディジタルのＯＦＤＭ変調信号を直交復調部３ｄに入力している。
【００３０】
直交復調部３ｄは、例えば一対の信号乗算器（位相検波器）と、中間周波数（ＩＦ）に変換された搬送波信号を出力する搬送波発生器と、搬送波信号の位相を９０°移相させるπ／２移相器と、一対のローパスフィルタで構成される。直交復調部３ｄでは、入力されたディジタルの中間周波数（ＩＦ）のＯＦＤＭ変調信号をディジタルのＩ信号（同位相）とＱ信号（直交位相）とに直交復調している。
【００３１】
記憶部４には、直交復調部３ｄで直交復調されたディジタルのＩ信号とＱ信号とが、周波数情報と対応付けされた測定データとして逐次書き込まれる。また、記憶部４には、データ処理部５にて処理された各種測定結果を記憶している。さらに、記憶部４には、データ処理部５の補正処理によって結合されたＯＦＤＭ変調信号の最終的な測定結果を記憶している。
【００３２】
データ処理部５は、記憶部４から読み込まれる周波数情報と対応付けされたＩ信号とＱ信号を用いてデータ処理し、例えば、エラーベクトル振幅（ＥＶＭ）、スペクトラムフラットネスなどの各種測定を行い、測定結果を表示部６に表示している。
【００３３】
また、データ処理部５は、測定結果補正部５ａ、測定結果結合部５ｂを備えている。測定結果補正部５ａは、下側分割周波数範囲と上側分割周波数範囲とのオーバーラップ部分である重複周波数範囲における測定結果の差によるずれを打ち消す補正処理を行っている。なお、補正処理については追って詳述する。
【００３４】
測定結果結合部５ｂは、測定結果補正部５ａにて補正処理された下側分割周波数範囲の測定結果と上側分割周波数範囲の測定結果とを中心周波数の位置で結合している。なお、測定結果結合部５ｂは、重複周波数範囲が設定されていない条件下において、複数の分割周波数範囲に分けて別々に測定した測定結果を中心周波数の位置で結合している。
【００３５】
表示部６は、例えば液晶表示器などで構成され、複数の分割周波数範囲や重複周波数範囲を入力設定部２で設定するための設定画面の表示、データ処理部５で処理されたＯＦＤＭ変調信号の測定結果の表示などを行っている。
【００３６】
次に、上記構成による変調信号解析装置１を用いたＯＦＤＭ変調信号の測定解析方法について説明する。ここでは、被測定信号として、中心周波数５２５０ＭＨｚ、チャンネル幅１６０ＭＨｚのＯＦＤＭ変調信号を２分割してスペクトラムフラットネスを測定解析する場合を例にとって説明する。
【００３７】
・第１の測定解析方法
まず、ＯＦＤＭ変調信号の解析周波数範囲を分割するための複数の分割周波数範囲を入力設定部２の操作入力により設定する。具体的に、中心周波数５２５０ＭＨｚを中心としてＯＦＤＭ変調信号のチャンネル幅１６０ＭＨｚを２分割するので、下側分割周波数範囲を５１７０ＭＨｚ〜５２５０ＭＨｚ、上側分割周波数範囲を５２５０ＭＨｚ〜５３３０ＭＨｚに設定する。
【００３８】
そして、上記設定を終えて測定が開始されると、設定された複数の分割周波数範囲毎に時間的に振り分けてＯＦＤＭ変調信号の取り込みを行う。まず、下側分割周波数範囲５１７０ＭＨｚ〜５２５０ＭＨｚにおいてＯＦＤＭ変調信号の取り込みを行う。続いて、上側分割周波数範囲５２５０ＭＨｚ〜５３３０ＭＨｚにおいてＯＦＤＭ変調信号の取り込みを行う。そして、下側分割周波数範囲と上側分割周波数範囲にそれぞれ時間的に振り分けて取り込まれるＯＦＤＭ変調信号は、信号入力処理部３にて所定の信号処理により復調され、ディジタルのＩ信号とＱ信号とが所定ステップ毎の周波数情報と対応付けした測定データとして記憶部４に逐次書き込まれる。データ処理部５では、記憶部４に書き込まれた測定データ（Ｉ信号、Ｑ信号）を用いて下側分割周波数範囲と上側分割周波数範囲におけるスペクトラムフラットネスをそれぞれ測定する。そして、図２に示すように、下側分割周波数範囲の測定結果と上側分割周波数範囲の測定結果とを中心周波数５２５０ＭＨｚの部分で結合し、チャンネル幅１６０ＭＨｚのＯＦＤＭ変調信号の測定結果として表示部６に表示する。なお、図２において、下側分割周波数範囲の測定結果を実線で示し、上側分割周波数範囲の測定結果を点線で示している。
【００３９】
上述した第１の測定解析方法によれば、広帯域のＯＦＤＭ変調信号のチャンネル幅を時間的に複数回（上記説明では２回）に分け、複数回の狭帯域の分割周波数範囲でＯＦＤＭ変調信号を取り込んで測定するので、高速Ａ／Ｄ変換器が不要であり、この高速Ａ／Ｄ変換器を用いた場合と比較しても、ダイナミックレンジが広く取れ、ビット分解能を低下させずに広帯域なＯＦＤＭ変調信号の測定解析を行うことができる。
【００４０】
ところで、チャンネル幅１６０ＭＨｚのＯＦＤＭ変調信号を測定解析するにあたって、第１の測定解析方法のように、複数の分割周波数範囲をオーバーラップさせず、すなわち重複周波数範囲を設定せずに８０ＭＨｚずつの下側分割周波数範囲と上側分割周波数範囲とに分けて別々に測定し、それぞれの測定結果を単純につなぎ合わせると、図３のＡに示すように、２つの分割周波数範囲の境目（中心周波数の位置）でずれを生じることがある。
【００４１】
そこで、この分割周波数範囲の境目でのずれの問題を解消するため、以下に説明する第２の測定解析方法のように、複数の分割周波数範囲の一部をオーバーラップさせた重複周波数範囲を設定して各分割周波数範囲ごとに測定し、その測定結果を補正処理した後に結合する処理を実行している。
【００４２】
・第２の測定解析方法
まず、ＯＦＤＭ変調信号の解析周波数範囲の分割数、重複周波数範囲、分割周波数範囲を入力設定部２の操作入力によりそれぞれ設定する。具体的に、中心周波数５２５０ＭＨｚを中心としてＯＦＤＭ変調信号を２分割する場合、重複周波数範囲を３６ＭＨｚに設定すると、下側分割周波数範囲が５１７０ＭＨｚ〜５２６８ＭＨｚ、上側分割周波数範囲が５２３２ＭＨｚ〜５３３０ＭＨｚに設定される。
【００４３】
そして、上記設定を終えて測定が開始されると、設定された複数の分割周波数範囲毎に時間的に振り分けてＯＦＤＭ変調信号の取り込みを行う。まず、下側分割周波数範囲５１７０ＭＨｚ〜５２６８ＭＨｚにおいてＯＦＤＭ変調信号の取り込みを行う。続いて、上側分割周波数範囲５２３２ＭＨｚ〜５３３０ＭＨｚにおいてＯＦＤＭ変調信号の取り込みを行う。そして、下側分割周波数範囲と上側分割周波数範囲にそれぞれ時間的に振り分けて取り込まれるＯＦＤＭ変調信号は、信号入力処理部３にて所定の信号処理により復調され、ディジタルのＩ信号とＱ信号とが所定ステップ毎の周波数情報と対応付けした測定データとして記憶部４に逐次書き込まれる。
【００４４】
ここで、重複周波数範囲を設定した測定では、重複周波数範囲において下側分割周波数範囲の測定結果と上側分割周波数範囲の測定結果とが本来であれば一致する部分であるが、図４のＢや図５の拡大図に示すように、下側分割周波数範囲の測定結果と上側分割周波数範囲の測定結果で差が生じる場合がある。なお、図４において、下側分割周波数範囲の測定結果を実線で示し、上側分割周波数範囲の測定結果を点線で示している。また、図５において、重複周波数範囲（図４のＢ部分）における下側分割周波数範囲の測定結果を黒四角印で示し、上側分割周波数範囲の測定結果を×印で示している。
【００４５】
このように、本例の変調信号解析装置１では、重複周波数範囲で同じ箇所を測定しているため、本来は下側分割周波数範囲の測定結果と上側分割周波数範囲の測定結果が一致する部分であるが、周波数軸方向で２分割して測定している上に、時間も同時刻に測定を行っていないため、重複周波数範囲で測定結果が異なることがある。
【００４６】
そこで、この第２の測定解析方法では、記憶部４に書き込まれた下側分割周波数範囲と上側分割周波数範囲の重複周波数範囲における測定結果の補正処理を行っている。この補正処理では、重複周波数範囲における下側分割周波数範囲の測定結果と上側分割周波数範囲の測定結果とが本来一致する部分なので、まず、下側分割周波数範囲の測定結果と上側分割周波数範囲の測定結果との差を算出する。下側分割周波数範囲の測定結果と上側分割周波数範囲の測定結果との差を算出してグラフ化したものが図６である。
【００４７】
図６のグラフを見ると、下側分割周波数範囲の測定結果と上側分割周波数範囲の測定結果との差がある傾向を持っていることが判る。この傾向は、例えば最小二乗法によって計算される近似直線Ｌ（図６の点線で示す直線）で表すことができる。そして、下側分割周波数範囲の測定結果と上側分割周波数範囲の測定結果とが一致していれば、この近似直線Ｌの傾きが０になり、中心周波数５２５０ＭＨｚにおける縦軸との交点（縦軸の切片：中心周波数５２５０ＭＨｚにおけるAmplitude 値）が０になる。
【００４８】
そこで、データ処理部５の測定結果補正部５ａでは、重複周波数範囲の測定結果の差から近似直線Ｌの傾きと切片（近似直線Ｌの中心周波数における縦軸との交点）を算出し、この算出した近似直線Ｌの傾きと切片を用いた演算式により下側分割周波数範囲の測定結果と上側分割周波数範囲の測定結果の補正処理を行っている。
【００４９】
さらに説明すると、測定結果補正部５ａは、近似直線Ｌの傾きをａ、切片をｂ、補正前の下側分割周波数範囲の測定結果をＤ１、補正前の上側分割周波数範囲の測定結果をＵ１とすると、Ｄ１−（ａ／２）周波数−（ｂ／２）の演算式により下側分割周波数範囲の測定結果Ｄ１を補正し、Ｕ１＋（ａ／２）周波数＋（ｂ／２）の演算式により上側分割周波数範囲の測定結果Ｕ１を補正している。
【００５０】
このように、下側分割周波数範囲及び上側分割周波数範囲の測定結果をそれぞれ補正処理することにより、重複周波数範囲の測定結果の差から求めた近似直線Ｌの傾きａと切片ｂを０にする。そして、測定結果結合部５ｂは、図７に示すように、下側分割周波数範囲の測定結果と上側分割周波数範囲の測定結果とを中心周波数の位置でずれなく結合してつなぎ合わせる。
【００５１】
上述した第２の測定解析方法によれば、下側分割周波数範囲の測定結果と上側分割周波数範囲の測定結果とのずれを算出し、この算出したずれを打ち消す補正処理を行って中心周波数の位置で結合することにより、ＯＦＤＭ変調信号を分割して測定したときの測定結果をずれずに結合してつなぎ合わせ、ＯＦＤＭ変調信号の最終的な測定結果を表示部９に表示している。これにより、前述した第１の測定解析方法と同様に、ダイナミックレンジが広く取れ、ビット分解能を低下させずに広帯域なＯＦＤＭ変調信号を測定できるだけでなく、極めて少ない誤差での測定解析が可能になる。
【００５２】
ところで、上述した実施の形態では、被測定信号として入力されるＯＦＤＭ変調信号のチャンネル帯を２つの分割周波数範囲により時間的に２分割して取り込んで解析する場合を例にとって説明したが、これに限定されるものではない。すなわち、１回に取り込む分割周波数範囲を装置解析帯域幅以内とし、ＯＦＤＭ変調信号の中心周波数を中心として、複数の分割周波数範囲による上限周波数と下限周波数との間の周波数範囲がＯＦＤＭ変調信号のチャンネル幅と一致又は包含するように複数の分割周波数範囲や隣り合う分割周波数範囲間の重複周波数範囲を設定すれば良い。
【符号の説明】
【００５３】
１  変調信号解析装置
２  入力設定部
３  信号入力処理部
３ａ  可変減衰部
３ｂ  周波数変換部
３ｃ  Ａ／Ｄ変換部
３ｄ  直交復調部
４  記憶部
５  データ処理部
５ａ  測定結果補正部
５ｂ  測定結果結合部
６  表示部
Ｌ  近似直線
ａ  近似直線の傾き
ｂ  近似直線の切片
【図１】
2014093738.tif 000003
【図２】
2014093738.tif 000004
【図３】
2014093738.tif 000005
【図４】
2014093738.tif 000006
【図５】
2014093738.tif 000007
【図６】
2014093738.tif 000008
【図７】
2014093738.tif 000009